(57)【要約】【課題】受信機において、アプリケーション等からの出力が表示されている状況においても、緊急情報の放送の映像を確実に視聴者が視聴できるようにする。【解決手段】映像合成部は、マルチメディアデコーダー部によって分離される映像アセットに基づく映像を、アプリケーション実行部で実行されるアプリケーションからの表示と合成する。映像出力部は、映像合成部が合成した結果得られた映像を出力する。レイアウト制御部は、マルチメディアデコーダー部で分離される映像が緊急情報であるか否かを示す緊急指示情報をマルチメディアデコーダー部から取得し、緊急情報であることを緊急指示情報が示している場合にはアプリケーション制御部に対してアプリケーション実行部で実行されている前記アプリケーションを停止させるように指示する。【選択図】図１
2019047508.tif 000002
【特許請求の範囲】
【請求項１】
送出する映像および音声のそれぞれについて、通常番組を送出するか緊急情報を送出するかを切り替えて、前記映像および前記音声を出力する緊急情報切替装置と、
前記緊急情報切替装置に対して前記通常番組を送出するか前記緊急情報を送出するかを切り替えるための切替制御信号を供給するとともに、送出する制御情報内に、前記通常番組を送出するか前記緊急情報を送出するかを表す緊急指示情報を格納するよう制御する送出制御装置と、
前記緊急情報切替装置から出力される前記映像および前記音声と、前記緊急指示情報を含んだ制御情報とを、ＭＭＴ方式で多重化して出力する多重化装置と、
を含んで構成される放送局設備であって、
前記送出制御装置は、前記緊急指示情報を、ＰＡ（Package Access）メッセージ内に格納する、
ことを特徴とする放送局設備。
【発明の詳細な説明】
【技術分野】
【０００１】
本発明は、受信機および放送局設備に関する。
【背景技術】
【０００２】
放送局からのデータ放送を表示したり、内部でアプリケーションを動作させたりすることのできる、テレビ放送用受信機が実用化されている。近年では、放送と通信とを融合したサービスも実用化されており、今後、アプリケーションの多様化や、放送番組の内容とインターネットコンテンツとの連動なども期待されている。
【０００３】
一方で、ＭＭＴを用いた放送信号の伝送に関して、画面のレイアウトを制御するためのレイアウト設定テーブルの構成が、非特許文献１のｐ．４９−５４，「７．３．３．３  
レイアウト設定テーブル（ＬＣＴ）」（特に、ｐ．５０における表７−１２）に記載されている。また、ＭＰＵの表示位置を指定するためのＭＰＵ提示領域指定記述子の構成が、同じく非特許文献１のｐ．７３−７４，「７．４．３．４  ＭＰＵ提示領域指定記述子」に記載されている。
【先行技術文献】
【非特許文献】
【０００４】
【非特許文献１】「ＡＲＩＢ  ＳＴＤ−Ｂ６０  １．０版  標準規格  デジタル放送におけるＭＭＴによるメディアトランスポート方式」，一般社団法人電波産業会，２０１４年７月３１日策定
【発明の概要】
【発明が解決しようとする課題】
【０００５】
上記の従来の技術により、複数のアセットからなる放送信号に基づき、テレビ受信機側で放送映像等を適切にレイアウトして表示することが可能である。しかし、前述のように今後より一層の普及が見込まれているデータ放送、ハイブリッドキャスト、ビデオオンデマンド（ＶＯＤ）や、電子番組表（ＥＰＧ）などを視聴中において、緊急ニュース映像への切り替えを強制的に行うことができないという問題があった。つまり、各種アプリケーション等による表示が放送映像にオーバーレイされているために、放送局が視聴者に対して優先的に伝えるべき緊急情報が見逃されてしまう状況が生じていた。
【０００６】
本発明は、上記のような事情を考慮して為されたものであり、アプリケーションからの出力や電子番組表等が画面上に表示されていても、緊急情報を含んだ映像が、確実に受信機の画面に表示できるように放送局側から強制的に画面を切り替えられることが望まれる。本発明は、この問題を解決するための受信機および放送局設備を提供する。
【課題を解決するための手段】
【０００７】
［１］上記の課題を解決するため、本発明の一態様による受信機は、複数のアセットおよび制御情報が多重化されたコンテンツ信号を受け取り、前記コンテンツ信号を前記アセットごとに分離するとともに制御情報を抽出するマルチメディアデコーダー部と、アプリケーションを実行するとともに前記アプリケーションからの表示を出力するアプリケーション実行部と、前記アプリケーション実行部におけるアプリケーションのライフサイクルを制御するアプリケーション制御部と、前記マルチメディアデコーダー部によって分離される映像アセットに基づく映像を、前記アプリケーション実行部で実行されるアプリケーションからの表示と合成する映像合成部と、前記映像合成部が合成した結果得られた映像を出力する映像出力部と、前記マルチメディアデコーダー部で分離される前記映像が緊急情報であるか否かを示す緊急指示情報を前記マルチメディアデコーダー部から取得し、前記映像が緊急情報であることを前記緊急指示情報が示している場合には前記アプリケーション制御部に対して前記アプリケーション実行部で実行されている前記アプリケーションを停止させるように指示するレイアウト制御部と、を具備することを特徴とする。
【０００８】
［２］また、本発明の一態様は、上記の受信機において、前記マルチメディアデコーダー部から電子番組表データを受け取るとともに、前記電子番組表データに基づいて番組表を出力する番組表データ取得部、を更に具備するとともに、前記映像合成部は、前記映像に、更に前記番組表データ取得部から出力される前記番組表を合成するものであり、前記レイアウト制御部は、前記映像が緊急情報であることを前記緊急指示情報が示している場合には、前記番組表データ取得部からの前記番組表の出力を中止させるよう指示する、ことを特徴とする。
【０００９】
［３］また、本発明の一態様は、上記の受信機において、前記緊急指示情報は、レイアウト設定テーブルにおけるデータ項目であるレイヤー順序に格納されて伝送されるものであり、前記マルチメディアデコーダー部は、前記レイアウト設定テーブルにおける前記レイヤー順序から取り出した前記緊急指示情報を前記レイアウト制御部に渡す、ことを特徴とする。
【００１０】
［４］また、本発明の一態様による放送局設備は、送出する映像および音声のそれぞれについて、通常番組を送出するか緊急情報を送出するかを切り替えて、前記映像および前記音声を出力する緊急情報切替装置と、前記緊急情報切替装置に対して前記通常番組を送出するか前記緊急情報を送出するかを切り替えるための切替制御信号を供給するとともに、送出する制御情報内に、前記通常番組を送出するか前記緊急情報を送出するかを表す緊急指示情報を格納するよう制御する送出制御装置と、前記緊急情報切替装置から出力される前記映像および前記音声と、前記緊急指示情報を含んだ制御情報とを、多重化して出力する多重化装置と、を含んで構成される。
【００１１】
［５］また、本発明の一態様は、上記の放送局設備において、前記緊急指示情報を、レイアウト設定テーブルにおけるデータ項目であるレイヤー順序に格納して多重化して出力する、ことを特徴とする。
【発明の効果】
【００１２】
本発明によれば、緊急情報（ニュース等）が発生した際に、アプリケーションからの表示を出力している状況においても、そのアプリケーションからの表示を終了させて、緊急情報による映像（および音声）を視聴者に視聴させることができる。放送局側からは、重要な緊急情報を視聴させることの確実性が増す。
【図面の簡単な説明】
【００１３】
【図１】本発明の第１実施形態による受信機の概略機能構成を示すブロック図である。
【図２】同実施形態による放送局設備の構成を示す機能構成図である。
【図３】同実施形態による受信機１が制御信号の一部として受信するレイアウト設定テーブルのデータ構成、およびデータ例を示す概略図である。
【図４】同実施形態による受信機１が制御信号の一部として受信するＭＰテーブルのアセットループ内における、ＭＰＵ提示領域指定記述子の例を示す概略図である。
【図５】同実施形態による受信機１におけるレイアウト制御のＯＮ／ＯＦＦによる、画面出力の変化の例を示す概略図である。
【発明を実施するための形態】
【００１４】
［第１実施形態］
次に、本発明の一実施形態について、図面を参照しながら説明する。本実施形態を構成する主要な装置あるいは装置群は、受信機１と、放送局設備１００である。受信機１は、テレビ受像機であり、例えば個人宅やその他の場所等に設置される。また、受信機１は、携帯可能なものであってもよい。放送局設備１００は、テレビ局が有する設備であり、主として、放送信号を送出するためのものである。いわゆるテレビ放送は、放送波（電波）やケーブルテレビ信号を用いて伝送されるものであるが、ＭＭＴ（MPEG media transport）による伝送は、物理的な伝送媒体に依存しないため、受信機１は、テレビ放送と同様の映像コンテンツを、インターネット等の通信を経由して受信することもできる。また、テレビ放送そのものを、インターネット経由で配信するようにしてもよい。
【００１５】
図１は、同実施形態による受信機の概略機能構成を示すブロック図である。同図に示すように、受信機１は、チューナー部１１と、ＩＰ通信部１２と、ＭＭＴデコーダー部１５（マルチメディアデコーダー部）と、音声伸長デコーダー部２１と、映像伸長デコーダー部２２と、ＥＰＧ取得部２３（番組表データ取得部）と、内蔵音源供給部２４と、音声合成部２５と、音声出力部２６と、映像合成部２７と、映像出力部２８と、レイアウト制御部３１と、アプリケーション制御部４５と、キャッシュメモリ４６と、アプリケーション実行部４７とを含んで構成される。
【００１６】
チューナー部１１は、外部からの放送信号を受信し、所望の周波数（チャンネル）の信号を選択し取得する。放送信号は、例えば、電波として伝送され、またはケーブルテレビ用のケーブルを介して伝送され、受信機１によって受信されるものである。
【００１７】
ＩＰ通信部１２は、インターネットプロトコル（ＩＰ，Internet Protocol）を用いて、外部の装置等との間で通信を行う。この通信は、有線信号（光ケーブルや金属ケーブル等）または無線信号（通信事業者が提供する通信サービスや、無線ＬＡＮ等）の手段を用いて行われる。この通信は、例えば、インターネット（the Internet）を経由して行われる。ＩＰ通信部１２は、例えば、放送局側設備や、映像コンテンツ配信事業者のサーバー装置から、映像コンテンツの信号等をＩＰプロトコルで受信する。
【００１８】
ＭＭＴデコーダー部１５は、チューナー部１１で受信した映像コンテンツの信号や、ＩＰ通信部１２で受信した映像コンテンツの信号を受け取り、デコードする。ＭＭＴデコーダー部１５が受け取る信号は、ＭＭＴの方式で多重化されており、映像アセットや、音声アセットや、データアセットや、データアセット等を含む。また、ＭＭＴデコーダー部１５が受け取る信号は、制御情報を含んでいる。この制御情報には、レイアウト設定テーブルや、ＭＰテーブルや、その他のテーブルが含まれる。そして、ＭＭＴデコーダー部１５は、抽出された音声アセットのデータを音声伸長デコーダー部２１に供給する。また、ＭＭＴデコーダー部１５は、受け取った信号から抽出した電子番組表（Electronic Program Guide，ＥＰＧ）の情報をＥＰＧ取得部２３に供給する。電子番組表の情報は、例えば、放送信号内のサービスインフォメーションに含まれる形で伝送される。また、ＭＭＴデコーダー部１５は、供給された信号から抽出した制御情報のうち、レイアウト制御に関する情報を、レイアウト制御部３１に供給する。また、ＭＭＴデコーダー部１５は、放送信号から抽出したイベントメッセージを、アプリケーション実行部４７上で稼働するアプリケーションに渡す。
つまり、ＭＭＴデコーダー部１５は、複数のアセットおよび制御情報が多重化されたコンテンツ信号を受け取り、そのコンテンツ信号をアセットごとに分離するとともに制御情報を抽出する。
【００１９】
音声伸長デコーダー部２１は、ＭＭＴデコーダー部１５から供給された音声のデータを伸長し音声合成部２５に供給する。
映像伸長デコーダー部２２は、ＭＭＴデコーダー部１５から供給された映像のデータをデコードし、所定画素数、且つ所定フレームレートの映像として、映像合成部２７に供給する。
【００２０】
ＥＰＧ取得部２３は、ＭＭＴデコーダー部から供給される電子番組表のデータに基づき、また利用者からの操作等に基づき、見やすい形式の番組表を成形し、映像合成部２７に供給する。ＥＰＧ取得部２３は、通常、受信機１の利用者がリモコン装置等のボタンを操作することにより、利用者が望む単数または複数のサービス（チャンネル）および時間帯の番組表を出力する。また、同じくリモコン操作等に基づき、利用者がテレビの放送番組の映像に画面を切り替えたときには、ＥＰＧ取得部２３は、番組表の出力を中止する。また、ＥＰＧ取得部２３は、レイアウト制御部３１から番組表の出力を中止するよう指示を受けたときにも、その時点で出している番組表の出力を中止する。
つまり、ＥＰＧ取得部２３は、ＭＭＴデコーダー部１５から電子番組表データを受け取るとともに、電子番組表データに基づいて番組表を出力する。
【００２１】
内蔵音源供給部２４は、予め内蔵音源のデータを内部のメモリに記憶するとともに、アプリケーション実行部４７上で稼働するアプリケーション等からの指示に基づき、指定された音源のデータを音声合成部２５に供給する。
音声合成部２５は、音声伸長デコーダー部２１から受け取る音声と、内蔵音源供給部２４から供給される音源とを混合し、音声出力部２６に供給する。
音声出力部２６は、音声合成部２５から供給される音声を、出力する。音声を出力するためのスピーカー等は、受信機１の内部に備えていても良く、また受信機１の外部に存在していても良い。
【００２２】
映像合成部２７は、映像伸長デコーダー部２２からの出力と、ＥＰＧ取得部２３からの出力と、アプリケーション実行部４７上で実行されるアプリケーションからの文字・映像・画像等の出力とを合成し、映像出力部２８に供給する。なお、映像合成部２７が、さらに、字幕アセットに基づくテキストで構成されるレイアウトや、文字スーパーアセットに基づくテキストで構成されるレイアウトをも合成するようにしても良い。なお、映像合成部２７は、上記の映像等を合成する際に、レイアウト制御情報に基づいて各表示要素（映像、文字等）のレイアウトを決定するが、ここではその詳細な説明を省略する。また、後述するように、アプリケーション実行部４７から映像合成部２７が受け取る映像には、データ放送に基づくコンテンツも含まれる。
つまり、映像合成部２７は、ＭＭＴデコーダー部１５によって分離される映像アセットに基づく映像を、アプリケーション実行部４７で実行されるアプリケーションからの表示と合成する。また、映像合成部２７は、映像に、更にＥＰＧ取得部２３から出力される番組表を合成する。
【００２３】
映像出力部２８は、映像合成部２７によって合成された映像の信号を受け、その映像を出力する。映像を出力するためのディスプレイデバイスは、受信機１の内部に備えていても良く、また受信機１の外部に存在していても良い。
【００２４】
レイアウト制御部３１は、ＭＭＴデコーダー部１５から、映像のレイアウトを制御するための情報であるレイアウト制御情報を受け取る。本実施形態において、レイアウト制御情報の中には、受信している映像および音声が緊急情報であるか否かを示す緊急指示情報が含まれている。本実施形態では、レイアウト制御情報内においてこの緊急指示情報は、レイアウト設定テーブル内のレイヤー順序に格納されるが、その詳細については、後で説明する。そして、レイアウト制御部３１は、取得した緊急指示情報に基づいて、現在の映像および音声が緊急情報（緊急ニュースや、緊急災害情報等）であるか否かを判別する。
その判定の結果、現在の映像および音声が緊急情報である場合には、レイアウト制御部３１は、その緊急情報の提示を妨げる可能性のある映像等および音声が出力されなくなるように制御する。具体的には、レイアウト制御部３１は、現在の映像および音声が緊急情報である場合には、アプリケーション実行部４７で稼働中のアプリケーションを停止させるとともに、ＥＰＧ取得部２３からの番組表の出力を中止させる。
つまり、レイアウト制御部３１は、ＭＭＴデコーダー部１５で分離される映像が緊急情報であるか否かを示す緊急指示情報をＭＭＴデコーダー部１５から取得し、その映像が緊急情報であることを緊急指示情報が示している場合にはアプリケーション制御部４５に対してアプリケーション実行部４７で実行されているアプリケーションを停止させるように指示する。また、レイアウト制御部３１は、映像が緊急情報であることを緊急指示情報が示している場合には、ＥＰＧ取得部２３からの番組表の出力を中止させるよう指示する。
【００２５】
アプリケーション制御部４５は、アプリケーション実行部４７におけるアプリケーションの実行を制御する。例えば、アプリケーション制御部４５は、アプリケーションのライフサイクル（フェッチ、起動、停止等）を制御する。アプリケーション制御部４５は、不図示のアプリケーション情報テーブル（ＡＩＴ）を必要に応じてＩＰ通信部１２経由で取得する。そして、アプリケーション制御部４５は、取得したアプリケーション制御テーブルに基づいて、アプリケーションのコードを取得するとともに、利用者からの操作に基づいて、あるいは放送サービスに連動して、アプリケーションを起動させたり停止させたりする。なお、キャッシュメモリ４６内にアプリケーションの有効なコードが記憶されている場合には、アプリケーション制御部４５はキャッシュからそのコードを読み出して、アプリケーション実行部４７で起動させる。また、アプリケーション制御部４５は、レイアウト制御部３１からの指示に基づいて、稼働中のアプリケーションをすべて一斉に停止させる場合がある。
つまり、アプリケーション制御部４５は、アプリケーション実行部４７におけるアプリケーションのライフサイクルを制御する。
【００２６】
キャッシュメモリ４６は、取得したアプリケーションコードを受信機１内に貯えておくための記憶手段である。キャッシュメモリ４６は、例えば、半導体メモリ等を用いて実現される。
【００２７】
アプリケーション実行部４７は、アプリケーション制御部４５による制御に基づいて、アプリケーションを実行させることのできる環境である。具体的な例としては、アプリケーション実行部４７は、ＨＴＭＬ５ブラウザを用いて実現され、ＨＴＭＬ５およびＪａｖａＳｃｒｉｐｔ（登録商標）で記述されたコードを、提示ないしは実行させる。また、アプリケーション実行部４７は、ＭＭＴデコーダー部１５からイベントメッセージを受け取った際には、そのメッセージを必要なアプリケーションに渡す。なお、アプリケーション実行部４７は、個々のアプリケーションが出力する映像および音声を、それぞれ、映像合成部２７および音声合成部２５に渡す。なおこのとき、音声に関しては、内蔵音源供給部２４から供給される音源を利用する。
つまり、アプリケーション実行部４７は、アプリケーションを実行するとともにアプリケーションからの表示を出力する。
【００２８】
アプリケーションには様々な種類のものがある。アプリケーション実行部４７において実行されるアプリケーションの一つは、データ放送によって配信されるデータを、適切な形式に整えて出力する機能を有するものである。また、別のアプリケーションは、利用者がビデオオンデマンド（ＶＯＤ）を視聴できるようにする機能を有する。
【００２９】
次に、上述した受信機１によって受信される映像等のコンテンツを送出する側の装置等の構成について説明する。
図２は、本実施形態における放送局設備の構成を示す機能構成図である。同図に示すように、放送局設備１００は、送出制御装置５１と、緊急情報切替装置５２と、ＭＭＴ制御情報送出部７１と、音声圧縮エンコーダー部７２と、映像圧縮エンコーダー部７３と、データ放送送出部７４と、ＥＰＧ送出部７５と、多重化装置８１と、変調・送信機８２と、ＩＰ通信装置８３と、アプリケーション用サーバー装置９１と、を含んで構成される。
【００３０】
送出制御装置５１は、放送信号の送出に関する制御を行う装置である。その制御の一つとして、通常番組による放送を送出するか、緊急情報に基づく放送を送出するかを区別し、その区別に応じた信号を出力する。具体的には、送出制御装置５１は、外部から、緊急情報の発生に関する信号を取り込む。この信号により、送出制御装置５１は、現在送出すべき映像および音声が、通常放送のものか緊急情報のものかを区別する。そして、送出制御装置５１は、その区別に応じて、緊急情報切替装置５２に対して、切替制御信号を供給する。また、送出制御装置５１は、その区別に応じた緊急指示情報を、レイアウト制御情報の一部に含めて、ＭＭＴ制御情報送出部７１に供給する。この緊急指示情報の詳細については後述する。
つまり、送出制御装置５１は、緊急情報切替装置５２に対して通常番組を送出するか緊急情報を送出するかを切り替えるための切替制御信号を供給するとともに、送出する制御情報内に、通常番組を送出するか緊急情報を送出するかを表す緊急指示情報を格納するよう制御する。
【００３１】
緊急情報切替装置５２は、送出制御装置５１からの制御に基づいて、映像および音声のそれぞれについて、通常番組を送出するか、緊急放送を送出するかを切り替える機能を有する。具体的には、緊急情報切替装置５２は、通常番組の映像と緊急放送の映像とを入力可能とし、通常時には通常番組の映像を出力する。そして、送出制御装置５１からの切替制御信号が「緊急情報発生」を示すと、緊急情報切替装置５２は、切り替えを行い、緊急放送の映像を出力する。音声についても同様に、緊急情報切替装置５２は、通常番組の音声と緊急放送の音声とを入力可能とし、通常時には通常番組の音声を出力する。そして、送出制御装置５１からの切替制御信号が「緊急情報発生」を示すと、緊急情報切替装置５２は、切り替えを行い、緊急放送の音声を出力する。
つまり、緊急情報切替装置５２は、送出する映像および音声のそれぞれについて、通常番組を送出するか緊急情報を送出するかを切り替える。
【００３２】
ＭＭＴ制御情報送出部７１は、放送信号をＭＭＴで伝送する際の制御信号を生成する。
この制御信号を生成する際、ＭＭＴ制御情報送出部７１は、必要なレイアウト制御情報を送出制御装置５１から受け取る。送出制御装置５１から供給されるレイアウト制御情報には、緊急指示情報が含まれる。この緊急指示情報は、送出する映像および音声が、緊急情報に関するものであるか、通常放送によるものであるかを示す。なお、本実施形態では、後述するように、ＭＭＴ制御情報送出部７１は、レイアウト設定テーブル内のデータ項目であるlayer_orderに、この緊急指示情報を格納する。
つまり、ＭＭＴ制御情報送出部７１は、緊急指示情報を、レイアウト設定テーブルにおけるデータ項目であるレイヤー順序に格納する。
【００３３】
音声圧縮エンコーダー部７２は、緊急情報切替装置５２から出力される音声信号を所定の方式でエンコードして出力する。
映像圧縮エンコーダー部７３は、緊急情報切替装置５２から出力される映像信号を所定の方式でエンコードして出力する。
データ放送送出部７４は、データ放送として送出するためのデータを出力する。
ＥＰＧ送出部７５は、電子番組表（ＥＰＧ）の情報を出力する。
【００３４】
多重化装置８１は、ＭＭＴ制御情報送出部７１から出力される制御情報と、音声圧縮エンコーダー部７２から出力される音声のデータと、映像圧縮エンコーダー部７３から出力される映像のデータと、データ放送送出部７４から出力されるデータ放送用のデータと、ＥＰＧ送出部７５から出力される番組表のデータとを、ＭＭＴで伝送するための形式で多重化する。そして、多重化装置８１は、多重化された結果のデータを、変調・送信機８２またはＩＰ通信装置８３のいずれかから送出する。なお、多重化装置８１が上記以外のデータ（例えば、字幕のテキストのデータや、文字スーパーのテキストのデータなど）をさらに多重化するようにしても良い。
つまり多重化装置８１は、少なくとも、緊急情報切替装置５２から出力される映像および音声と、緊急指示情報を含んだ制御情報とを、多重化して出力する。
【００３５】
変調・送信機８２は、多重化装置８１から出力されるデータを、放送波として送信する。変調・送信機８２から送信される放送波は空中線から輻射される。また、変調・送信機８２は、ケーブルテレビ用のケーブル経由での送信を行っても良い。
ＩＰ通信装置８３は、多重化装置８１から出力されるデータを、ＩＰプロトコルを用いた通信によって、ネットワーク経由で外部に送信する。このネットワークは、たとえば、インターネットである。また、ＩＰ通信装置８３は、受信機１とアプリケーション用サーバー装置９１との間の、ＩＰプロトコルによる双方向の通信を仲介する。
【００３６】
アプリケーション用サーバー装置９１は、ＩＰ通信装置８３を介して、通信ネットワーク経由で外部の装置との間の通信を行う。例えば、アプリケーション用サーバー装置９１は、受信機１において稼働するアプリケーションからの要求に応じて、必要なデータを、同アプリケーションに対して送る。
【００３７】
以上、説明したように、放送局設備１００によれば、通常放送による映像および音声の送出と、緊急情報による映像および音声の送出とを切り替えることができる。また、この放送局設備１００によれば、ＭＭＴの制御情報の中に緊急指示情報を含めて送出することができる。これにより、受信機１側では、緊急指示情報におうじたレイアウト制御を行うことができる。具体的には、受信機１側では、緊急情報による放送が始まると、アプリケーションを停止させたり、電子番組表の表示を停止させたりする。これにより、受信機１は、アプリケーションからの出力や電子番組表の表示などに邪魔されることなく、緊急情報の映像および音声を提示することができる。
【００３８】
次に、映像のレイアウトを制御するための情報について説明する。
図３は、受信機１が、映像コンテンツの制御信号の一部として受信するレイアウト設定テーブル（Layout Configuration Table，ＬＣＴ）のデータ構成、およびデータ例を示す概略図である。同図において、データ構造は、ブロック構造を有する言語によって表されている。また、各データ項目に付記された数値は、そのデータ項目のサイズ（ビット数）である。なお、レイアウト設定テーブルはＰＡ（Package Access）メッセージ内に含まれる。
【００３９】
本実施形態では、レイアウト設定テーブル内に、緊急指示情報を格納する。また、本実施形態では、レイアウト設定テーブル内のlayer_order（レイヤー順序）のデータ項目を、緊急指示情報を格納するために利用する。このようにlayer_orderに緊急指示情報を格納することにより、既存のデータ構造を変更する必要がなく、従来規格との間の親和性が高くなる。
【００４０】
ただし、レイアウト設定テーブル内の既存のデータ項目に緊急指示情報を格納することは必須ではなく、放送局設備１００側から受信機１側に伝送される制御情報の中のどこかのテーブル内に、緊急指示情報のためのあらたなデータ項目を設けるようにしても良い。
一例として、レイアウト設定テーブル内にあらたにデータ項目を設けるようにしても良い。
【００４１】
図示するように、レイアウト設定テーブルは２重のループの構造を有する。外側のループは、レイアウト番号とデバイスＩＤの組み合わせに対応する。そして、内側のループは、領域番号に対応する。
レイアウト設定テーブル内の各項目について、下に説明する。
（１）number_of_loop（レイアウト・デバイス数）は、このテーブルで設定するレイアウトとデバイスの組み合わせの総数を示す。
【００４２】
以下の（２）から（１０）までの範囲内に含まれるデータ項目は、レイアウトとデバイスの組み合わせごとにＮ回繰り返される。ここで、Ｎは、上記のnumber_of_loopで示される整数である。
（２）layout_number（レイアウト番号）は、各レイアウトの番号を示す。レイアウト番号「０」はデフォルトのレイアウト設定に対応する。一つのレイアウトが複数のデバイスから構成されることも可能である。
（３）device_id（デバイスＩＤ）は、クライアント端末の番号を示す。デバイスＩＤ「０」は、メインデバイスに対応する。
（４）number_of_region（領域数）は、当該レイアウトの当該デバイスにおける領域数を示す。
【００４３】
以下の（５）から（１０）までのデータ項目は、当該レイアウトの当該デバイスにおける領域ごとにＭ回繰り返される。ここで、Ｍは、上記のnumber_of_regionで示される整数である。
（５）region_number（領域番号）は、各領域の番号を示す。領域番号「０」は、デフォルトの領域番号である。なお、同一レイアウトの異なるデバイスには、異なる領域番号を割り当てる。
（６）left_top_pos_x（左上水平位置）は、当該領域の左上の水平位置（ｘ座標）を、水平方向の全画素数に対する割合（百分率）で示す。全画面表示の左側を０とし、全画面表示の右側を１００とする。
（７）left_top_pos_y（左上垂直位置）は、当該領域の左上の垂直位置（ｙ座標）を、垂直方向の全画素数に対する割合（百分率）で示す。全画面表示の上側を０とし、全画面表示の下側を１００とする。
（８）right_down_pos_x（右下水平位置）は、当該領域の右下の水平位置を、水平方向の全画素数に対する割合で示す。
（９）right_down_pos_y（右下垂直位置）は、領域の右下の垂直位置を、垂直方向の全画素数に対する割合で示す。
（１０）layer_order（レイヤー順序）は、当該領域の奥行き方向の相対位置を示す。
前述のとおり、本実施形態では、このデータ項目に緊急指示情報を格納する。つまり、layer_order（レイヤー順序）は、直近で伝送されている映像アセットおよび音声アセットの内容が、緊急情報であるか否かを表す。緊急情報とは、例えば、緊急地震速報や、緊急ニュースや、緊急を要する災害情報などである。具体的には、layer_orderの値が「１」のとき「緊急指示である」ことを表し、layer_orderの値が「０」のとき「緊急指示ではない」ことを表す。なお、この値と意味の対応関係を適宜変えても良い。
【００４４】
図３に示しているレイアウト設定テーブルのデータ例は、２つのレイアウトを含んでいる。つまり、number_of_loopの値は「２」である。それらの各々のレイアウトは、１つのデバイスＩＤに対応している。つまり、レイアウト番号とデバイスＩＤとの組み合わせが２つあり、その各々が、レイアウト設定テーブル内の外側のループに対応する。
【００４５】
第１のレイアウト：第１のレイアウトのレイアウト番号は「０」である。また、デバイスＩＤは「０」である。このレイアウトは１つの領域を含んでいる。つまり、number_of_regionの値は「１」である。その領域の領域番号（region_number）は「０」である。この領域の範囲を百分率値のｘ−ｙ座標で表すと、左上が（ｘ，ｙ）＝（０，０）、右下が（ｘ，ｙ）＝（１００，１００）である。そして、ここでは、layer_order（レイヤー順序）の値が「０」であり、これは「緊急指示ではない」ことを表す。
【００４６】
第２のレイアウト：第２のレイアウトのレイアウト番号は「１」である。また、デバイスＩＤは「０」である。このレイアウトは１つの領域を含んでいる。つまり、number_of_regionの値は「１」である。その領域の領域番号（region_number）は「０」である。この領域の範囲を百分率値のｘ−ｙ座標で表すと、左上が（ｘ，ｙ）＝（０，０）、右下が（ｘ，ｙ）＝（１００，１００）である。そして、ここでは、layer_order（レイヤー順序）の値が「１」であり、これは「緊急指示である」ことを表す。
【００４７】
なお、以下において便宜上、レイアウト番号「０」で指定されるレイアウトを「レイアウト制御ＯＦＦ」と呼び、レイアウト番号「１」で指定されるレイアウトを「レイアウト制御ＯＮ」と呼ぶ。
【００４８】
図４は、伝送されるＭＰ（MMT Package）テーブルのアセットループ内における、ＭＰＵ提示領域指定記述子の例を示す概略図である。なお、ＭＰＵは、Media Processing Unitの略である。同図における（Ａ）は「レイアウト制御ＯＦＦ」中であることを示し、（Ｂ）は「レイアウト制御ＯＮ」中であることを示す。
【００４９】
図４（Ａ）において、descriptor_tag（記述子タグ）の値「０ｘ８００３」は、この記述子がＭＰＵ提示領域指定記述子であることを表す。また、descriptor_length（記述子長）は、当該記述子のサイズを表し、適切な値が設定される。また、mpu_sequence_number（ＭＰＵシーケンス番号）はＸＸであり、layout_number（レイアウト番号）は「０」であり、region_number（領域番号）は「０」である。
また、同図（Ｂ）において、descriptor_tag（記述子タグ）およびdescriptor_length（記述子長）は、上記の同図（Ａ）と同様である。また、同図（Ｂ）に示す例は、１個のループを含み、当該ループ内に設定されているmpu_sequence_number（ＭＰＵシーケンス番号）はＹＹであり、layout_number（レイアウト番号）は「１」であり、region_number（領域番号）は「０」である。
なお、上のＸＸおよびＹＹは、それぞれ設定される適切な値を表す。
【００５０】
つまり、図４に示すＭＰＵ提示領域指定記述子では、ＭＰＵシーケンス番号ＸＸにおいてレイアウト制御ＯＦＦとなり、即ち、レイアウト番号「０」が指定される。また、ＭＰＵシーケンス番号ＹＹにおいてレイアウト制御ＯＮとなり、即ち、レイアウト番号「１」が指定される。
【００５１】
図３および図４に例示したレイアウト制御情報に基づく、レイアウト制御部３１の動作は、次の通りである。即ち、レイアウト制御部３１は、受信機１が受信する信号内の緊急指示情報の値を監視する。具体的には、レイアウト制御部３１は、レイアウト設定テーブル内の、各レイアウトにおけるlayer_orderの値を監視する。
【００５２】
そして、緊急指示情報の値が「０」であったとき、レイアウト制御部３１は、アプリケーション制御部４５に対しても、ＥＰＧ取得部２３に対しても、特別のアクションを行わない。よって、この場合、映像合成部２７は、通常の放送による映像と、ＥＰＧ取得部２３から出力される番組表と、アプリケーション実行部４７上で稼働するアプリケーションからの出力とを、指定されたレイアウトで合成する。ここで、指定されたレイアウトとは、受信した特定のアセットによる映像等を画面上のどの座標の領域に表示するかということや、重なる（オーバーレイされる）提示要素の前後関係の順序や、アプリケーションからの座標を指定した画面出力等である。このとき、レイアウトの指定によっては、放送の映像が、アプリケーションからの出力や電子番組表などに覆われてしまう場合もある。
【００５３】
そして、緊急指示情報の値が「１」であったとき、レイアウト制御部３１は、アプリケーション制御部４５に対して、稼働中のすべてのアプリケーションを停止させるよう、指示する。この指示に基づき、アプリケーション制御部４５は、アプリケーション実行部４７において稼働中のすべてのアプリケーションを停止させる。これにより、アプリケーション実行部４７からの、映像合成部２７への映像出力も、音声合成部２５への音声出力も停止される。また、緊急指示情報の値が「１」であったとき、レイアウト制御部３１は、ＥＰＧ取得部２３に対して、電子番組表の出力を中止するよう指示する。これにより、ＥＰＧ取得部２３は、たとえ電子番組中の表示出力中であっても、その表示を中止する。これにより、映像合成部２７へは、アプリケーション実行部４７からもＥＰＧ取得部２３からも映像が渡されない。よって、映像合成部２７は、映像伸長デコーダー部２２の映像を、アプリケーション等からの出力で覆われない状態で、映像出力部２８に供給する。つまり、緊急情報の放送による映像および音声が、確実に視聴者に伝わる。
なお、緊急指示情報の値が「１」以外の非零値であった場合に、緊急指示情報の値が「１」のときと同様の動作をするようにしても良い。
【００５４】
図５は、レイアウト制御のＯＮまたはＯＦＦによる、画面の変化の例を示す概略図である。同図において、左側に示す画面例は、レイアウト制御ＯＦＦの状態でのものである。
また、右側に示す画面例は、レイアウト制御ＯＮの状態のものである。左側の画面例では、データ放送やハイブリッドキャストによるアプリケーションからの出力が表示されている。ハイブリッドキャストは、テレビ放送とインターネットによる通信とを融合して実現されるサービスのことをいう。この左側の画面では、利用者はこれらのデータ放送ないしはハイブリッドアプリケーションからの出力を視聴しているため、この画面の背後に通常の放送の映像が隠されていても特に問題が生じない。ここで、緊急ニュース放送が始まる場合を想定する。既に述べた放送局設備側の各装置の動作により、映像および音声は、通常放送から緊急放送に切り替えられる。また、放送局設備側では、映像や音声のＭＰＵ提示領域指定記述子のlayout_numberを「０」から「１」に変更する。これにより、受信機１側では、既に説明した動作により、レイアウト制御ＯＮの状態に移行する。すると、レイアウト制御部３１からの指示により、データ放送の提示も含め、すべてのアプリケーションが停止される。電子番組表が表示されている場合には、電子番組表の表示も中止される。つまり、受信機１が出力する映像は、放送の映像に切り替わる。このように、レイアウト制御ＯＮに移行した結果、右側の、緊急ニュース放送の映像が表示される。そして、緊急ニュース放送が終了し、通常の番組に復帰すると、放送局設備側の各装置の動作により、映像および音声は、緊急放送から通常放送に切り替えられる。また、放送局設備側では、映像や音声のMPU提示領域指定記述子のlayout_numberを「１」から「０」に変更する。これにより、受信機１側では、レイアウト制御ＯＦＦの状態に移行する。そして、レイアウト制御ＯＦＦの状態になると、あらたにアプリケーションを起動させることなどが可能となり、同図の左側の画面例に戻る。
【００５５】
なお、本実施形態では、データ放送アセットについては、ＭＰＵ提示領域指定記述子を配置しない。その理由は、ＭＰＵ（MPU with non-timed media data）にカプセル化して伝送するためである。ただし、データ放送を表示するプレーンはマルチメディアプレーンであり、これは映像を表示するプレーンでもある。データ放送アセットはlayer_order（レイヤー順序）を「０」とみなすため、緊急情報の放送中は、データ放送アセットは映像アセットの裏に隠れることとなる。
【００５６】
［第２実施形態］
次に、本発明の第２実施形態を説明する。なお、第１実施形態と同様の事項についてはここでは記載を省略し、本実施形態特有の事項を中心に述べる。
第２実施形態における各装置（受信機１や、放送局設備１００内の各装置）の機能構成自体は、第１実施形態におけるそれらとほぼ同様である。
但し、第２実施形態においては、緊急情報が発生した場合における、放送局設備１００側から受信機１側への通知のしかたが、第１実施形態におけるそれとは異なる。
【００５７】
第１実施形態においては、レイアウト設定テーブル上では、緊急指示情報が「０」（通常放送を表す）であるレイアウト（例えば、レイアウト番号０）と、緊急指示情報が「１」（緊急情報を表す）であるレイアウト（例えば、レイアウト番号１）との両方を常に格納していた。放送局設備１００側からは、そのようなレイアウト設定テーブルが送出されていた。そして、映像アセットや音声アセットにおけるＭＰＵ提示領域指定記述子のレイアウト番号として「０」を指定するか「１」を指定するかにより、受信機１側で使用されるべきレイアウトを指示していた。つまり、この例では、レイアウト番号０が指定された場合には通常放送であり、レイアウト番号１が指定された場合には緊急情報である。
【００５８】
これに対して、本実施形態では、放送局設備１００は、所定のレイアウトにおける緊急指示情報を「０」とするか「１」とするかを切り替えて信号を送出することにより、受信機１に対して、現在送出されている映像等が通常放送であるか緊急情報であるかを伝える。つまり、放送局設備１００内において、送出制御装置５１からの指示により、ＭＭＴ制御情報送出部７１が送出する制御情報において、受信機１側で参照すべきレイアウトにおける緊急指示情報を、「０」と「１」とで切り替える。
【００５９】
なお、受信機１は、ＭＰＵ提示領域指定記述子内で指定されたレイアウト番号に応じて、レイアウト設定テーブル内の指定されたレイアウトを参照し、そのレイアウト内の緊急指示情報によって、現在の映像等が通常放送であるか緊急情報であるかを把握し、緊急情報である場合にはアプリケーションを停止させるなどの動作（第１実施形態で述べたとおりの動作）を行う。よって、本実施形態の信号が放送局設備１００側から送られた場合にも、第１実施形態における場合と同様に、緊急情報を確実に視聴者に届けることができる。
【００６０】
［コンピュータープログラムによる実施］
なお、上述した第１実施形態または第２実施形態における各装置の機能の一部または全部をコンピューターで実現するようにしても良い。その場合、各装置の機能を実現するためのプログラムをコンピューター読み取り可能な記録媒体に記録して、この記録媒体に記録されたプログラムをコンピューターシステムに読み込ませ、実行することによって実現しても良い。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピューターシステム内部の揮発性メモリのように、一定時間プログラムを保持しているものも含んでも良い。また上記プログラムは、前述した機能の一部を実現するためのものであっても良く、さらに前述した機能をコンピューターシステムにすでに記録されているプログラムとの組み合わせで実現できるものであっても良い。
【００６１】
以上、複数の実施形態を説明したが、本発明はさらに次のような例でも実施することが可能である。
受信機１がＥＰＧ取得部２３を備えなくても良い。この場合、レイアウト制御部３１は、緊急放送時にも、ＥＰＧ取得部２３に対する制御を行うことはなく、アプリケーションの強制終了の制御のみを行う。
また、緊急指示情報を格納する場所は、レイアウト設定テーブル内のlayer_orderには限定されない。緊急指示情報のための格納領域を新たに設けるようにしても良い。
上述した実施形態では、ＭＭＴによって放送局設備１００側から受信機１側に信号を伝送していたが、伝送方式はＭＭＴに限定されない。ＭＭＴ以外の伝送方式においても、制御情報の一部として緊急指示情報を放送局設備１００側から受信機１側に伝達し、受信機１側で同様の制御を行うことが可能である。
【００６２】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００６３】
本発明は、テレビ放送やコンテンツ配信サービスに利用することができる。
【符号の説明】
【００６４】
１  受信機
１１  チューナー部
１２  ＩＰ通信部
１５  ＭＭＴデコーダー部（マルチメディアデコーダー部）
２１  音声伸長デコーダー部
２２  映像伸長デコーダー部
２３  ＥＰＧ取得部（番組表データ取得部）
２４  内蔵音源供給部
２５  音声合成部
２６  音声出力部
２７  映像合成部
２８  映像出力部
３１  レイアウト制御部
４５  アプリケーション制御部
４６  キャッシュメモリ
４７  アプリケーション実行部
５１  送出制御装置
５２  緊急情報切替装置
７１  ＭＭＴ制御情報送出部
７２  音声圧縮エンコーダー部
７３  映像圧縮エンコーダー部
７４  データ放送送出部
７５  ＥＰＧ送出部
８１  多重化装置
８２  変調・送信機
８３  ＩＰ通信装置
９１  アプリケーション用サーバー装置
１００  放送局設備
【図１】
2019047508.tif 000003
【図２】
2019047508.tif 000004
【図３】
2019047508.tif 000005
【図４】
2019047508.tif 000006
【図５】
2019047508.tif 000007